(57)【要約】【課題】端末装置が検出した異常が、登録されているユーザに通知すべき異常であるか否かを判定して、検出した異常を通知すること。【解決手段】端末本体の現在の位置を示す自端末位置情報を取得する位置情報取得部１３と、外部端末の現在の位置を示す外部端末位置情報を受信する無線通信部１２と、端末本体と外部端末とが距離閾値以上離れている状態において、振動検出部１４が振動閾値以上の振動を検出した場合、異常を検出したことを判定する異常判定部１１４と、異常判定部によって異常が検出された場合、前記異常が発生していることを報知する報知部１９と、を備える端末装置１。【選択図】図１
2013074382.tif 000002
【特許請求の範囲】
【請求項１】
端末本体の現在の位置を示す自端末位置情報を取得する位置情報取得部と、
外部端末の現在の位置を示す外部端末位置情報を受信する無線通信部と、
前記自端末位置情報と前記外部端末位置情報とに基づき、前記端末本体と前記外部端末との距離が予め決められた距離閾値以上であるか否かを判定する位置関係判定部と、
前記端末本体の振動を検出する振動検出部と、
前記振動検出部の検出結果に基づき、前記振動検出部が検出した振動の大きさが予め決められた振動閾値以上であるか否かを判定する振動判定部と、
前記位置関係判定部の判定結果と前記振動判定部の判定結果とに基づき、前記端末本体と前記外部端末とが前記距離閾値以上離れている状態において、前記振動検出部が前記振動閾値以上の振動を検出した場合、異常を検出したことを判定する異常判定部と、
前記異常判定部によって異常が検出された場合、前記異常が発生していることを報知する報知部と、
を備えることを特徴とする端末装置。
【請求項２】
前記自端末位置情報に基づき、前記端末本体が移動したか否かを判定する移動判定部をさらに備え、
前記異常判定部は、
前記移動判定部の判定結果と前記振動判定部の判定結果とに基づき、前記振動検出部が前記振動閾値以上の振動を検出した際に前記端末本体が移動していると判定された場合、異常を検出したことを判定することを特徴とする請求項１に記載の端末装置。
【請求項３】
前記端末本体と前記外部端末とが前記距離閾値以上離れている場合、前記異常判定部による判定処理の実行を許可するとともに、前記端末本体と前記外部端末とが前記距離閾値未満である場合、前記異常判定部による判定処理の実行を制限するセキュリティモード制御部と、をさらに備えることを特徴とする請求項１または２に記載の端末装置。
【請求項４】
前記無線通信部が受信した前記外部端末位置情報に基づき、前記外部端末の位置を示す情報を表示する表示部を備えることを特徴とする請求項１から３のうちいずれか一項に記載の端末装置。
【請求項５】
前記無線通信部は、
前記位置情報取得部が取得した前記自端末位置情報を、前記外部端末に送信することを特徴とする請求項１から４のうちいずれか一項に記載の端末装置。
【請求項６】
前記異常判定部によって異常が検出された場合、カメラに撮像を指示し、撮像した画像データを取得する撮像制御部とをさらに備えることを特徴とする請求項１から５のうちいずれか一項に記載の端末装置。
【請求項７】
異常検出対象に搭載される端末と、当該端末と無線通信により接続されている外部端末とを備える異常検出システムにおいて、
前記端末は、
当該端末の端末本体の現在の位置を示す自端末位置情報を取得する位置情報取得部と、
外部端末の現在の位置を示す外部端末位置情報を受信する無線通信部と、
前記自端末位置情報と前記外部端末位置情報とに基づき、前記端末本体と前記外部端末との距離が予め決められた距離閾値以上であるか否かを判定する位置関係判定部と、
前記端末本体の振動を検出する振動検出部と、
前記振動検出部の検出結果に基づき、前記振動検出部が検出した振動の大きさが予め決められた振動閾値以上であるか否かを判定する振動判定部と、
前記位置関係判定部の判定結果と前記振動判定部の判定結果とに基づき、前記端末本体と前記外部端末とが前記距離閾値以上離れている状態において、前記振動検出部が前記振動閾値以上の振動を検出した場合、異常を検出したことを判定する異常判定部と、
前記異常判定部によって異常が検出された場合、前記異常が発生していることを報知する報知部と、
を備えることを特徴とする異常検出システム。
【請求項８】
端末本体の現在の位置を示す自端末位置情報を取得する位置情報取得ステップと、
外部端末の現在の位置を示す外部端末位置情報を受信する無線通信ステップと、
前記自端末位置情報と前記外部端末位置情報とに基づき、前記端末本体と前記外部端末との距離が予め決められた距離閾値以上であるか否かを判定する位置関係判定ステップと、
前記端末本体の振動を検出する振動検出ステップと、
前記振動検出ステップにおける検出結果に基づき、検出した振動の大きさが予め決められた振動閾値以上であるか否かを判定する振動判定ステップと、
前記位置関係判定ステップにおける判定結果と前記振動判定ステップにおける判定結果とに基づき、前記端末本体と前記外部端末とが前記距離閾値以上離れている状態において、前記振動検出ステップで前記振動閾値以上の振動が検出された場合、異常を検出したことを判定する異常判定ステップと、
異常が検出された場合、前記異常が発生していることを報知する報知ステップと、
を備えることを特徴とする異常検出方法。
【請求項９】
コンピュータを
端末本体の現在の位置を示す自端末位置情報を取得する位置情報取得手段、
外部端末の現在の位置を示す外部端末位置情報を受信する無線通信手段、
前記自端末位置情報と前記外部端末位置情報とに基づき、前記端末本体と前記外部端末との距離が予め決められた距離閾値以上であるか否かを判定する位置関係判定手段、
前記端末本体の振動を検出する振動検出手段、
前記振動検出手段の検出結果に基づき、前記振動検出手段が検出した振動の大きさが予め決められた振動閾値以上であるか否かを判定する振動判定手段、
前記位置関係判定手段による判定結果と前記振動判定手段による判定結果とに基づき、前記端末本体と前記外部端末とが前記距離閾値以上離れている状態において、前記振動検出手段によって前記振動閾値以上の振動が検出された場合、異常を検出したことを判定する異常判定手段、
前記異常判定手段によって異常が検出された場合、前記異常が発生していることを報知する報知手段、
として機能させるための異常検出プログラム。
【発明の詳細な説明】
【技術分野】
【０００１】
本発明は、所定の異常検出対象に端末装置を搭載して当該異常検出対象の異常を検出する際に用いて好適な端末装置、異常検出システム、異常検出方法および異常検出プログラムに関する。
【背景技術】
【０００２】
例えば、使用しなくなった携帯端末は保管しているだけで様々な機能が搭載されているのに再利用がされていないのが現状であった。そこで、すでに携帯端末に搭載されているカメラ、スピーカー、加速度センサ、セキュリティロックの機能を使用することで、車両の盗難防止や携帯端末の再利用等を図る技術が検討されている（例えば特許文献１参照）。
特許文献１に記載されている技術では、携帯電話機が備える種々のセンサを利用してセンサが検知した情報を発信することで、盗難対策等を行うようにしている。例えば振動センサを利用する場合、携帯端末を自動車に搭載することを想定すると、センサを動作させた状態で離れていたユーザが自動車に戻ってきて、ドアやトランクの開け閉めなどを行った場合にはセンサが振動を検知することになる。
【先行技術文献】
【特許文献】
【０００３】
【特許文献１】特開２００５−３１１９９５号公報
【発明の概要】
【発明が解決しようとする課題】
【０００４】
このような盗難防止機能を備えた携帯端末では、搭乗した者が車両の持ち主であるか、あるいは、第三者であるのかを判断できない。このため、車両の持ち主が、盗難防止機能を発揮できる状態で携帯端末を設定しておき、車両を離れ、その後戻って来て車両を発進された場合、車両の持ち主であるにも関わらず異常を検出することとなる。このように、車両の持ち主が搭乗するたびに異常が検出され、通知されると、ユーザは、煩わしさを感じて、盗難防止機能の設定を解除してしまうおそれがある。この場合、実際に盗難が発生したとしても、盗難防止機能が発揮されないという問題がる。
【０００５】
本発明は、上記の課題を解決することができる端末装置、異常検出システム、異常検出方法および異常検出プログラムを提供することを目的とする。
【課題を解決するための手段】
【０００６】
本発明の端末装置は、端末本体の現在の位置を示す自端末位置情報を取得する位置情報取得部と、外部端末の現在の位置を示す外部端末位置情報を受信する無線通信部と、前記自端末位置情報と前記外部端末位置情報とに基づき、前記端末本体と前記外部端末との距離が予め決められた距離閾値以上であるか否かを判定する位置関係判定部と、前記端末本体の振動を検出する振動検出部と、前記振動検出部の検出結果に基づき、前記振動検出部が検出した振動の大きさが予め決められた振動閾値以上であるか否かを判定する振動判定部と、前記位置関係判定部の判定結果と前記振動判定部の判定結果とに基づき、前記端末本体と前記外部端末とが前記距離閾値以上離れている状態において、前記振動検出部が前記振動閾値以上の振動を検出した場合、異常を検出したことを判定する異常判定部と、前記異常判定部によって異常が検出された場合、前記異常が発生していることを報知する報知部と、を備えることを特徴とする。
【０００７】
また、本発明の異常検出システムは、異常検出対象に搭載される端末と、当該端末と無線通信により接続されている外部端末とを備える異常検出システムにおいて、前記端末は、当該端末の端末本体の現在の位置を示す自端末位置情報を取得する位置情報取得部と、外部端末の現在の位置を示す外部端末位置情報を受信する無線通信部と、前記自端末位置情報と前記外部端末位置情報とに基づき、前記端末本体と前記外部端末との距離が予め決められた距離閾値以上であるか否かを判定する位置関係判定部と、前記端末本体の振動を検出する振動検出部と、前記振動検出部の検出結果に基づき、前記振動検出部が検出した振動の大きさが予め決められた振動閾値以上であるか否かを判定する振動判定部と、前記位置関係判定部の判定結果と前記振動判定部の判定結果とに基づき、前記端末本体と前記外部端末とが前記距離閾値以上離れている状態において、前記振動検出部が前記振動閾値以上の振動を検出した場合、異常を検出したことを判定する異常判定部と、前記異常判定部によって異常が検出された場合、前記異常が発生していることを報知する報知部と、を備えることを特徴とする。
【０００８】
また、本発明の異常検出方法は、端末本体の現在の位置を示す自端末位置情報を取得する位置情報取得ステップと、外部端末の現在の位置を示す外部端末位置情報を受信する無線通信ステップと、前記自端末位置情報と前記外部端末位置情報とに基づき、前記端末本体と前記外部端末との距離が予め決められた距離閾値以上であるか否かを判定する位置関係判定ステップと、前記端末本体の振動を検出する振動検出ステップと、前記振動検出ステップにおける検出結果に基づき、検出した振動の大きさが予め決められた振動閾値以上であるか否かを判定する振動判定ステップと、前記位置関係判定ステップにおける判定結果と前記振動判定ステップにおける判定結果とに基づき、前記端末本体と前記外部端末とが前記距離閾値以上離れている状態において、前記振動検出ステップで前記振動閾値以上の振動が検出された場合、異常を検出したことを判定する異常判定ステップと、異常が検出された場合、前記異常が発生していることを報知する報知ステップと、を備えることを特徴とする。
【０００９】
また、本発明の異常検出プログラムは、コンピュータを、端末本体の現在の位置を示す自端末位置情報を取得する位置情報取得手段、外部端末の現在の位置を示す外部端末位置情報を受信する無線通信手段、前記自端末位置情報と前記外部端末位置情報とに基づき、前記端末本体と前記外部端末との距離が予め決められた距離閾値以上であるか否かを判定する位置関係判定手段、前記端末本体の振動を検出する振動検出手段、前記振動検出手段の検出結果に基づき、前記振動検出手段が検出した振動の大きさが予め決められた振動閾値以上であるか否かを判定する振動判定手段、前記位置関係判定手段による判定結果と前記振動判定手段による判定結果とに基づき、前記端末本体と前記外部端末とが前記距離閾値以上離れている状態において、前記振動検出手段によって前記振動閾値以上の振動が検出された場合、異常を検出したことを判定する異常判定手段、及び前記異常判定手段によって異常が検出された場合、前記異常が発生していることを報知する報知手段、として機能させることを特徴とする。
【発明の効果】
【００１０】
本発明によれば、端末装置が検出した異常が、登録されているユーザに通知すべき異常であるか否かを判定して、検出した異常を通知することができる。
【図面の簡単な説明】
【００１１】
【図１】本発明の一実施の形態としての端末装置１の構成例を示すブロック図である。
【図２】図１の端末装置１の使用例を説明するための説明図である。
【図３】図１の端末装置１の動作例を説明するためのフローチャートである。
【図４】図１の端末装置１における主要な構成要素を示すブロック図である。
【発明を実施するための形態】
【００１２】
以下、図面を参照して本発明による端末装置の実施の形態について説明する。図１は、本発明の一実施形態としての端末装置１の構成例を示すブロック図である。図１の端末装置１は、例えば携帯電話機、携帯情報端末等の携帯端末として構成されている。図１に示す例では、端末装置１が、ＣＰＵ（中央処理装置）１１、無線通信部１２、位置情報取得部１３、振動検出部１４、操作部１５、カメラ１６、画像処理部１７、記憶部１８、報知部１９及び表示部２０を備えている。また、図１では、ＣＰＵ１１が所定のプログラムを実行することで実現される複数の機能をブロック化してＣＰＵ１１内に示している。すなわち、ＣＰＵ１１によって、位置関係判定部１１１、移動判定部１１２、振動判定部１１３、異常判定部１１４、セキュリティモード判定部１１５、入出力制御部１１６及び撮像制御部１１７として表した各機能が実現される。
【００１３】
無線通信部１２は、公衆無線ＬＡＮ（Ｌｏｃａｌ Ａｒｅａ Ｎｅｔｗｏｒｋ）等に接続して所定の形式の無線信号を送受信することでＣＰＵ１１の制御の下、所定のデータを送受信する。無線通信部１２は、例えば、公衆無線ＬＡＮの無線端末に接続して、ユーザが予め登録した他の無線端末（以下、外部端末と称する）と通信することで（あるいは当該外部端末が登録されている外部のサーバと接続して通信することで）の外部端末の現在の位置を示す外部端末位置情報等を受信する。無線通信部１２によって取得された外部端末位置情報は、位置関係判定部１１１に入力される。また、無線通信部１２は、位置情報取得部１３が取得した自端末位置情報を外部端末に送信するために使用することもできる。なお、無線通信部１２の接続先は、公衆無線ＬＡＮに限らず、公衆無線電話網等であってもよい。また、公衆電話網等を用いてユーザが契約しているプロバイダーにアクセスし、インターネットに接続するようにしてもよい。
【００１４】
位置情報取得部１３は、ＧＰＳ（Ｇｌｏｂａｌ Ｐｏｓｉｔｉｏｎｉｎｇ Ｓｙｓｔｅｍ）等を利用して端末装置１本体（以下、端末本体と表す）の現在の位置を示す自端末位置情報を取得する装置である。位置情報取得部１３が取得した自端末位置情報は、位置関係判定部１１１と移動判定部１１２とに入力される。
【００１５】
振動検出部１４は、振動センサと信号処理回路等から構成され、端末装置１１に生じた振動の大きさや方向を検出する。振動検出部１４の出力は、振動判定部１１３に入力される。
【００１６】
操作部１５は、タッチパネルや押しボタン等の複数の操作子を有して構成されていて、ユーザによる操作を受け付ける入力装置である。操作部１５によって検知された操作子に対するユーザの操作は、入出力制御部１１６に入力される。
【００１７】
カメラ１６は、例えば図２に示すように、端末装置１の表示部２０の上にレンズ部１６ａを有する撮像装置である。カメラ１６は撮像制御部１１７の制御の下、静止画や動画を撮像する。カメラ１６で撮像された画像を表す撮像信号は、画像処理部１７で所定形式のデータに変換され、記憶部１８に記憶される。
【００１８】
画像処理部１７は、カメラ１６で撮像された画像を表す撮像信号に対して所定の画像処理を実行することで所定形式のデータに変換する。
【００１９】
記憶部１８は、不揮発性メモリ等からなる記憶装置であり、画像処理部１７から出力された所定形式の画像データ等を記憶する。
【００２０】
報知部１９は、異常判定部１１４から信号報知を指示する制御信号が出力された場合に、所定の報知音を発生する。
【００２１】
表示部２０は、液晶ディスプレイ等の表示装置であり、入出力制御部１１６によって制御され、文字や画像を表示する。表示部２０には、無線通信部１２が受信した外部端末位置情報に基づき、外部端末の位置を示す情報等が表示される。
【００２２】
また、位置関係判定部１１１は、位置情報取得部１３が取得した自端末位置情報と無線通信部１２を用いて取得した外部端末位置情報とに基づき、端末本体と外部端末との距離が予め決められた距離閾値以上であるか否かを判定する。
【００２３】
移動判定部１１２は、位置情報取得部１３が取得した自端末位置情報に基づき、端末本体が移動したか否かを判定する。例えば、移動判定部１１２は、所定時間周期で位置情報取得部１３が取得した自端末位置情報と、前回取得した自端末位置情報とを比較し、位置のずれが所定の位置閾値以上であった場合に移動していると判定する。
【００２４】
振動判定部１１３は、振動検出部１４の検出結果に基づき、振動検出部１４が検出した振動の大きさが予め決められた振動閾値以上であるか否かを判定する。
【００２５】
異常判定部１１４は、位置関係判定部１１１の判定結果と振動判定部１１２の判定結果とに基づき、端末本体と外部端末とが所定の距離閾値以上離れている状態において、振動検出部１４が振動閾値以上の振動を検出した場合、異常を検出したことを判定する。あるいは、異常判定部１１４は、移動判定部１１２の判定結果と振動判定部１１３の判定結果とに基づき、振動検出部１４が振動閾値以上の振動を検出した際に端末本体が移動していると判定された場合、異常を検出したことを判定する。
【００２６】
セキュリティモード判定部１１５は、セキュリティモードで端末装置１が動作している状態において、位置関係判定部１１１の判定結果に応じて異常判定部１１４に対して次の制御を行う。ここで、セキュリティモードとは、操作部１５に対してユーザが所定の操作を行うことで所定の操作以外の操作を受け付けなくなる動作モードである。すなわち、セキュリティモード判定部１１５は、セキュリティモードの状態で、端末本体と外部端末とが距離閾値以上離れている場合、異常判定部１１４による判定処理の実行を許可するとともに、端末本体と外部端末とが距離閾値未満である場合、異常判定部１１４による判定処理の実行を制限する制御を行う。異常判定部１１４は、判定処理の実行が許可された場合に、異常判定とその結果に基づく報知部１９への出力動作を行うことができる。
【００２７】
入出力制御部１１６は、操作部１５の出力信号を入力するとともに、表示部２０に所定の画像を表示させるための画像信号を出力する。例えば操作部１５に対して所定の操作がなされた場合に、入出力制御部１１６から所定の画像信号を出力することで、表示部２０において無線通信部１２が受信した外部端末位置情報に基づく外部端末の位置を示す情報を表示させることができる。
【００２８】
撮像制御部１１７は、例えば異常判定部１１４によって異常が検出された場合、カメラ１６に撮像を指示し、撮像した画像データを取得して記憶部１８に記憶させる。
【００２９】
次に、図２を参照して、図１の端末装置１の使用例について説明する。図２に示す使用例では、端末装置１が、異常検出対象としての自動車２のダッシュボード２ａ上に図示していない粘着性の部材等を用いて固定されている。この例では端末装置１は、図１の無線通信部１２を介して公衆無線ＬＡＮ５と無線通信を行うことができる範囲に位置している。また、この場合、端末装置１のユーザ４は、自動車２の車外に位置している。また、ユーザ４は、端末装置１に対して予め外部端末として登録されている携帯電話機等の外部端末３を携帯している。図２に示すような状況において、端末本体と外部端末との距離が所定の距離閾値以上である場合、振動検出部１４によって所定の振動閾値以上の振動が検出されたときに、報知部１９から所定の報知信号が出力される。
【００３０】
なお、外部端末３は、所定のソフトウェアを実行すること等により、端末装置１から直接または端末装置１が接続した所定のサーバからの所定の問い合わせに対して、外部端末３が在る位置情報を送信する機能を有していることとする。
【００３１】
次に図３を参照して、図１の端末装置１の動作例について説明する。例えば操作部１５に対してユーザが所定の操作を行うことで図３に示す処理が開始される。まず、位置情報取得部１３が、自端末位置情報を取得する（Ｓ１０１）。次に、無線通信部１２が、外部端末位置情報を受信する（Ｓ１０２）。次に、位置関係判定部１１１が、位置情報取得部１３が取得した自端末位置情報と無線通信部１２が取得した外部端末位置情報とに基づき、端末本体と外部端末との距離が予め決められた距離閾値以上であるか否かを判定する（Ｓ１０３）。Ｓ１０３での判定の結果、端末本体と外部端末との距離が距離閾値以上の場合は次のＳ１０５へ進み（Ｓ１０４でＹＥＳの場合）、以上で無かった場合には処理を終了する（Ｓ１０４でＮＯの場合）。Ｓ１０５では移動判定部１１２が、自端末位置情報に基づき、端末本体が移動したか否かを判定する。Ｓ１０５での判定の結果、移動していたと判定された場合には次のＳ１０７へ進み（Ｓ１０６でＹＥＳの場合）、移動していなかったと判定された場合には処理を終了する（Ｓ１０６でＮＯの場合）。
【００３２】
次に、振動検出部１４が、端末本体の振動を検出する（Ｓ１０７）。次に、振動判定部１１３が、振動検出部１４が検出した振動の大きさが予め決められた振動閾値以上であるか否かを判定する（Ｓ１０８）。Ｓ１０８での判定の結果、端末本体の振動の大きさが振動閾値以上の場合は次のＳ１１０へ進み（Ｓ１０９でＹＥＳの場合）、以上で無かった場合には処理を終了する（Ｓ１０９でＮＯの場合）。Ｓ１１０では異常判定部１１４が、異常を検出したと判定する。Ｓ１１０で、異常判定部１１４が異常を検出したことと判定するのは、この例では、端末本体と外部端末との距離が距離閾値以上（Ｓ１０４でＹＥＳ）、端末本体が移動していると判定され（Ｓ１０６でＹＥＳ）、かつ、端末本体の振動の大きさが振動閾値以上（Ｓ１０９でＹＥＳ）の場合である。
【００３３】
次に、報知部１９が、異常が発生していることを報知する（Ｓ１１１）。
【００３４】
以上のように、上記の実施形態によれば、端末装置１と、ユーザ４が持っている外部端末３とが離れている場合に、異常を検出して、報知することができる。なお、上記構成では、自動車２に搭載した端末装置１と、ユーザ４が持っている外部端末３との位置関係に基づき、ユーザ４が離れている場合に端末装置３の振動を検出したら、ユーザ４ではない第三者が自動車２を移動させた可能性があるため、異常を検出することとしているのである。
【００３５】
なお、図３に示した動作例は一例であって、例えば次のような変形例が可能である。例えば、図３のＳ１０５〜Ｓ１０６の処理を省略して移動しているか否かに関わらず、他の判定の結果に基づいて異常の報知を行ったり、Ｓ１０２〜Ｓ１０４の処理を省略して距離が離れているか否かに関わらず、他の判定の結果に基づいて異常の報知を行ったりすることができる。
【００３６】
例えば、Ｓ１０２〜Ｓ１０４の処理を省略して距離が離れているか否かに関わらず、他の判定の結果に基づいて異常の報知を行うようにすれば、必ずしも、全てのユーザ４が外部端末３を持っているとは限らないが、持っていない場合であっても、車載の端末装置１の位置情報だけを用いて端末装置１が移動（つまり、端末装置１が搭載された自動車２が移動）したときに、異常を検出することとすることができる。
【００３７】
また、図３の動作に、セキュリティモード制御部１１５による制御を加えることで、予めセキュリティモード制御部１１５に所定の初期設定をしておけば、ユーザ４が自動車２を離れる度に異常判定部１１４による報知動作を実行可能状態にする設定を手動で行わずとも、自動車２から離れれば、報知動作を実行可能状態にすることができる。また、自動車２に戻ってきたとき、仮に、自分の携帯電話機等の外部端末３をどこかに置き忘れている場合、報知動作は実行可能状態のままである。この状態で自動車２を動かした場合、異常を検出して報知部１９から報知信号が出力されることになる。これにより、ユーザ４は、自分の携帯電話機等の外部端末３をどこかに忘れてきたことに気づくことができる。
【００３８】
また、表示部２０に外部端末３の位置を表示できるようにすることで、例えば携帯電話機等の外部端末３の置き忘れの場合、ユーザ４が例えば、操作部１５を介して、外部端末３の位置を地図に表示させるよう指示すると、外部端末３の位置を表示部２０に表示させることができる。これにより、ユーザ４は、置き忘れてきた携帯電話機等の外部端末３を取りに戻ることができる。
【００３９】
また、無線通信部１２によって、位置情報取得部１３が取得した自端末位置情報を、外部端末３に送信するようにすれば、例えば、自動車２が盗難された場合、車載の端末装置１の位置が外部端末３に通知されるようになる。これにより、ユーザ４は、盗難された自動車２の現在位置を知ることができる。
【００４０】
また、異常判定部１１４によって異常が検出された場合、カメラ１６に撮像を指示し、撮像した画像データを取得して記憶部１８に記憶するようにすれば、例えば自動車２が盗難された場合、車載の端末装置１が盗難者の顔や周りの風景を撮影しておくことができる。なお、カメラ１６によって撮像されたデータは、記憶部１８に記憶するのに限らず、例えば、無線通信部１２を用いて外部装置やサーバに送信するようにしてもよい。
【００４１】
なお、本発明の実施の形態は上記のものに限定されず、図１にブロックで示した各構成要素を、統合したり、分割したりする変更が適宜可能である。なお、図１の構成において、本発明が必須とする基本的な構成は、図４に示すとおりである。すなわち、端末装置１は、無線通信部１２、移動情報取得部１３、振動検出部１４、ＣＰＵ１１による位置関係判定部１１１、振動判定部１１３および異常判定部１１４、ならびに報知部１９を基本的な構成要素として備えている。また、本発明の端末装置１１は、ＣＰＵ１１とＣＰＵ１１で実行されるプログラムを用いて構成されるものである。そのＣＰＵ１１で実行されるプログラムの一部または全部はコンピュータ読み取り可能な記録媒体または通信回線を介して流通させることが可能である。
【符号の説明】
【００４２】
１  端末装置
２  自動車
３  外部端末
４  ユーザ
５  公衆無線ＬＡＮ
１１  ＣＰＵ
１２  無線通信部
１３  位置情報取得部
１４  振動検出部
１５  操作部
１６  カメラ
１７  画像処理部
１８  記憶部
１９  報知部
２０  表示部
１１１  位置関係判定部
１１２  移動判定部
１１３  振動判定部
１１４  異常判定部
１１５  セキュリティモード判定部
１１６  入出力制御部
１１７  撮像制御部
【図１】
2013074382.tif 000003
【図２】
2013074382.tif 000004
【図３】
2013074382.tif 000005
【図４】
2013074382.tif 000006